【手続補正書】
【提出日】平成17年4月5日(2005.4.5)
【手続補正１】
【補正対象書類名】明細書
【補正対象項目名】００２６
【補正方法】変更
【補正の内容】
【００２６】
第８の発明は、第７の発明に従属する発明であって、データには、要求帯域情報と共に、内部で保有している帯域をデータに使用させるときの優先度を示す優先度情報が埋め込まれ、
データに埋め込まれた優先度情報に基づいて、データ毎の優先度を認識する優先度認識手段と、
判定手段が使用不可と判定した場合において、データ受信手段で受信したデータの帯域の使用を可能とするために、優先度認識ステップで認識した各データの優先度の内、データ受信手段が受信したデータの優先度よりも低い優先度のデータの帯域を減らす帯域調節手段とをさらに備える。
【手続補正２】
【補正対象書類名】明細書
【補正対象項目名】００４０
【補正方法】変更
【補正の内容】
【００４０】
無線ＩＦ１００は、無線通信アダプタ１０１５1〜１０１５4と無線でデータのやり取りを行う。要求制御部１０５は、各情報処理装置１０２０1〜１０２０4から送信されてきた転送データ送信の要求（以下、転送データ送信要求と称す）を有線ＩＦ１１０にサーバ１５1〜１５4へ送信させる。有線ＩＦ１１０は、当該転送データ転送要求をルーター１００５に出力すると共に、ルーター１００５から取得した転送データを転送判定部１１５に出力する役割を果たす。転送判定部１１５は、有線ＩＦ１１０から取得した転送データのメディア識別コードを参照して、各情報処理装置１０２０1〜１０２０nに割り当てる帯域の大きさを決定する。テーブル記憶部は、帯域管理テーブル、仮帯域管理テーブル、要求帯域テーブル、優先クラステーブル、メディア種別テーブルおよび最低保証帯域テーブルを格納している。転送制御部１３０は、各情報処理装置１０２０1〜１０２０4に割り当てた帯域の大きさで、当該転送データを無線ＩＦ１００に各無線通信アダプタ１０１５1〜１０１５4へ送信させる。
【手続補正３】
【補正対象書類名】明細書
【補正対象項目名】００４３
【補正方法】変更
【補正の内容】
【００４３】
次に、仮帯域管理テーブルについて説明する。当該仮帯域管理テーブルの構成は、上記帯域管理テーブルと同様に図９で示される。なお、当該仮帯域管理テーブルにおける各欄の役割は、上記帯域管理テーブルと同様であるので説明を省略する。ここで、仮帯域管理テーブルの役割について説明する。当該仮帯域管理テーブルは、情報処理装置１０２０1〜１０２０4に転送すべき転送データパケットが新たに転送判定部１１５に到達した場合に、当該転送データパケットを転送するものと仮定して、各転送データの使用帯域を仮登録するためのテーブルである。転送判定部１１５は、当該仮帯域管理テーブルを用いて、転送データパケットを情報処理装置１０２０1〜１０２０4に転送するか否かを判定する。
【手続補正４】
【補正対象書類名】明細書
【補正対象項目名】００４８
【補正方法】変更
【補正の内容】
【００４８】
転送要求信号を受信した要求制御部１０５は、有線ＩＦ１１０を介してルーター１００５に出力する。その後、当該転送要求信号は、ルーティングされながらインターネット１０００を通過し、サーバ１５1のサーバ通信部６５に到達する。応じて、サーバ通信部６５は、当該転送データパケットをサーバ制御部５０に出力する。転送要求信号を取得したサーバ制御部５０は、情報処理装置１０２０1が要求している転送データをサーバ記憶部５５から取得し、さらに、当該転送データをパケットに分割し、そのペイロード部分にメディア識別コードを埋め込む。そして、サーバ制御部５０は、サーバ通信部６５に情報処理装置１０２０1へ転送データを送信させる。なお、本実施形態での転送データパケットの連続送信方式は、例えばウインドウ制御によるものが考えられる。
【手続補正５】
【補正対象書類名】明細書
【補正対象項目名】００５０
【補正方法】変更
【補正の内容】
【００５０】
サーバ１５1が出力した転送データパケットは、ルーティングされながらインターネット１０００を通過し、ルーター１００５に到達する。ルーター１００５は、当該転送データパケットのＩＰアドレスを参照して、当該転送データを通過させるか否かを判定する。ここで、当該転送データパケットが通過させるべき転送データパケットであるとルーター１００５が判断した場合、当該転送データパケットは、帯域調節アクセスポイント１０に出力される。一方、当該転送データパケットが通過させるべき転送データパケットでないとルーター１００５が判断した場合、当該転送データパケットは破棄される。
【手続補正６】
【補正対象書類名】明細書
【補正対象項目名】００５１
【補正方法】変更
【補正の内容】
【００５１】
ここで、ルーター１００５を通過した転送データパケットは、図８に示される有線ＩＦ１１０で受信される。以上で、サーバ１５1から帯域調節アクセスポイントに転送データが到達するときに、当該ＬＡＮシステムで行われる動作についての説明を終了する。
【手続補正７】
【補正対象書類名】明細書
【補正対象項目名】００７８
【補正方法】変更
【補正の内容】
【００７８】
実効帯域が合計帯域より大きい場合、帯域調節アクセスポイント１０は、転送データパケットの転送処理を開始する。より具体的には、まず、転送判定部１１５は、仮帯域管理テーブルの内容と同じ内容に帯域管理テーブルを更新する（ステップ１１５）。次に、転送判定部１１５は、転送制御部１３０に転送データパケットの転送許可通知をする（ステップＳ１２０）。応じて、当該転送制御部１３０は、無線ＩＦに転送データパケットの転送を開始させる（ステップＳ１２５）。なお、本実施形態では、メディア識別コードが参照されるのは、最初の転送データパケットのみとする。したがって、２番目以降の転送データパケットは、転送判定部１１５を素通りして、転送制御部１３０に到達する。
【手続補正８】
【補正対象書類名】明細書
【補正対象項目名】００８７
【補正方法】変更
【補正の内容】
【００８７】
ここで、当該「優先度２データの帯域変更処理」は、図１６に示されるように、図１４の優先クラスを優先度２に置き換えた処理であるので、その詳細な説明は省略する。当該「優先度２データの帯域設定処理」によって新たに取得した転送データパケットの帯域を確保することができた場合には、帯域調節アクセスポイント１０は、転送データパケットの転送を開始する（ステップＳ５２０、ステップＳ５７０およびステップＳ５７５）。一方、当該「優先度２データの帯域変更処理」によって新たに取得した転送データパケットの帯域を確保することができなかった場合には、本処理は、ステップＳ１４５の「優先度１データの帯域変更処理」に進む。以下に、当該「優先度１データの帯域変更処理」について、図面を参照しながら説明する。
【手続補正９】
【補正対象書類名】明細書
【補正対象項目名】０１００
【補正方法】変更
【補正の内容】
【０１００】
まず、転送制御部１３０は、各情報処理装置１０２０1〜１０２０4に転送する転送データパケットを転送判定部１１５から取得する（ステップＳ７００）。次に、転送制御部１３０は、取得した転送データパケットをバッファリングする（ステップＳ７０５）。ここで、当該転送制御部１３０は、転送データパケットをバッファリングするための機能を備える必要がある。
【手続補正１０】
【補正対象書類名】明細書
【補正対象項目名】０１０４
【補正方法】変更
【補正の内容】
【０１０４】
また、本発明によれば、転送データパケットに設定された優先度に応じて、転送データパケットの転送順位が決定される。したがって、帯域調節アクセスポイント１０は、緊急性の高い転送データパケットを他の転送データに優先させて大きな帯域を割り当てて、情報処理装置１０２０1〜１０２０4に高速転送することが可能となる。
【手続補正１１】
【補正対象書類名】明細書
【補正対象項目名】０１０５
【補正方法】変更
【補正の内容】
【０１０５】
なお、本実施形態では、情報処理装置１０２０1〜１０２０4は、サーバ１５1〜１５4からインターネットを経由して転送データをダウンロードするものとしているが、これをイーサネット（登録商標）を介して転送データをダウンロードする形式にすることも可能である。
【手続補正１２】
【補正対象書類名】明細書
【補正対象項目名】０１０８
【補正方法】変更
【補正の内容】
【０１０８】
なお、本実施形態のネットワーク構成は、情報処理装置が図１に示されるようにインターネット１０００を介してサーバ１５1〜１５4から転送データを取得するものとしているが、当該ネットワーク構成はこれに限られない。本発明にかかるネットワーク構成は、例えば、図２６に示されるように、イーサネット（登録商標）又はインターネットに複数のＬＡＮシステムが複数のルーターにより接続されているネットワーク構成であってもよい。この場合には、情報処理装置１０２０1〜１０２０4は、サーバ１５1〜１５4から転送データを取得するのではなく、他のＬＡＮシステムの情報処理装置１０２０5〜１０２０8から転送データを取得することになる。
【手続補正１３】
【補正対象書類名】明細書
【補正対象項目名】０１０９
【補正方法】変更
【補正の内容】
【０１０９】
また、本発明のネットワーク構成は、図２７に示されるように、有線ＬＡＮであってもよい。この場合には、図８の要求制御部１０５、テーブル記憶部１２０および転送制御部１３０が、帯域調節ルーター５０５に設けられることになる。これにより、帯域調節ルーター５０５と各情報処理装置１０２０5〜１０２０8との間の有線ＬＡＮの帯域の割り当てを調節することが可能となる。また、この場合には、図２８に示されるものと同様に、ネットワーク構成が、イーサネット（登録商標）又はインターネットに複数のＬＡＮシステムが複数の帯域調節ルーター５０５および５０６により接続されている構成であってもよい。
【手続補正１４】
【補正対象書類名】図面
【補正対象項目名】図１１
【補正方法】変更
【補正の内容】
【図１１】
2003333050.tif 000001
【手続補正１５】
【補正対象書類名】図面
【補正対象項目名】図１７
【補正方法】変更
【補正の内容】
【図１７】
2003333050.tif 000002